(57)【特許請求の範囲】
【請求項１】
複数本の弦を延設するためのベースと、このベース上に固定される補助部材と、前記ベースの上面に載置されて弦を受け、当該弦の延出方向に沿って移動可能に設けられているとともに、前記移動方向に沿って補助部材に相対移動可能に取り付けられた駒部材と、前記駒部材及び補助部材の相対移動をガイドするガイド手段とを備え、
前記駒部材、補助部材及びガイド手段は、それぞれ単一とされることを特徴とする弦楽器。
【請求項２】
前記補助部材には、前記弦を受容する通路が形成されていることを特徴とする請求項１記載の弦楽器。
【請求項３】
前記請求項１又は２記載の弦楽器の構造を備えていることを特徴とする大正琴。
【発明の詳細な説明】
【０００１】
【発明の属する技術分野】
本発明は弦楽器に係り、更に詳しくは、音程を微調整することのできる弦楽器及び大正琴に関する。
【０００２】
【従来の技術】
従来より、一方の手による押鍵操作で弦の所定位置を押えながら、他方の手で弦を弾いて演奏する大正琴が知られている。この大正琴は、弦を延設するためのベースと、このベース上に固定されて、弦の延出方向両端側を受ける二個の駒部材とを含んで構成されている。
【０００３】
【発明が解決しようとする課題】
しかしながら、前記大正琴にあっては、前記各駒部材がそれぞれベース上に固定されているため、各駒部材間の弦部分、つまり、大正琴の発音に直接寄与する弦の有効振動発音部の長さが一定となっている。これにより、前述の大正琴では、音程の微調整が行い難く、楽器の個体差や演奏者の感覚差に簡単に対応できないという不都合がある。
【０００４】
【発明の目的】
本発明は、このような不都合に着目して案出されたものであり、その目的は、弦楽器の発音に直接寄与する弦の有効振動発音部の長さを可変にすることで、音程の微調整を簡単に行うことができる弦楽器及び大正琴を提供することにある。
【０００５】
【課題を解決するための手段】
前記目的を達成するため、本発明は、複数本の弦を延設するためのベースと、このベース上に固定される補助部材と、前記ベースの上面に載置されて弦を受け、当該弦の延出方向に沿って移動可能に設けられているとともに、前記移動方向に沿って補助部材に相対移動可能に取り付けられた駒部材と、前記駒部材及び補助部材の相対移動をガイドするガイド手段とを備え、
前記駒部材、補助部材及びガイド手段は、それぞれ単一とされる、という構成を採っている。このような構成によれば、駒部材が弦の延出方向に沿って移動することにより、弦楽器の発音に直接寄与する弦の有効振動発音部の長さを可変にすることができ、これにより、音程の微調整を簡単に行うことができる。また、駒部材の移動を許容する構造をベースに直接設ける必要がなく、ベースの複雑な加工を不要にすることができる。更に、弦の延出方向を除く方向の駒部材の移動が規制され、弦の延出方向に沿って駒部材を確実に移動させることができる。
【０００６】
【発明の実施の形態】
本発明において、前記補助部材には、前記弦を受容する通路が形成される、という構成を採用することができる。このような構成によれば、弦の延出方向における直線性か確実になる。
【０００７】
なお、本明細書において、「上」、「下」、「左」「右」、「前」、「後」等の位置的或いは方向的記載は、特に明示しない限り、図１の状態で、矢印Ａ方向に大正琴を見た場合における位置或いは方向について用いられる。
【０００８】
【実施例】
以下、本発明の実施例について図面を参照しながら説明する。
【０００９】
図１には、本実施例に係る弦楽器としての大正琴の概略斜視図が示されている。また、図２には、前記大正琴の要部拡大平面図が示され、図３には、図２の概略正面図が示されている。これらの図において、大正琴１０は、四本の弦１１を左右方向に延設するためのベース１３と、このベース１３上における左端側に設けられて各弦１１の一端側１１Ａが巻回された弦巻き部１４と、当該弦巻き部１４の右隣となる位置でベース１３上に固定されて各弦１１を受ける駒部材からなる固定弦受け部１６と、ベース１３上の右端側に設けられて各弦１１を受ける可動弦受け部１７と、これら各弦受け部１６，１７の間に配置されるとともに、押圧操作により各弦１１をベース１３上に押し付ける鍵部材１９と、ベース１３の内部に設けられて可動弦受け部１７の外側（右側）に位置し、且つ、各弦１１の他端側１１Ｂをベース１３に固定する弦固定部２１（図３参照）とを備えて構成されている。
【００１０】
この大正琴１０は、各弦受け部１６，１７間の弦部分が発音に直接寄与する弦１１の有効振動発音部２２となっており、演奏者が左手で鍵部材１９を押圧操作することにより、有効振動発音部２２の任意の位置で弦１１をベース１３上に押し付ける一方、有効振動発音部２２の右端側となる弦部分を演奏者の右手に持ったピックで弾くことで、所望の音を発生可能に設けられている。なお、符号２４は、弦１１からの発音を電気的に増幅させる公知のピックアップ装置であり、符号２５は、ピックアップ装置２４で増幅される音量を調整する音量調節つまみである。ここでの大正琴１０は、前記可動弦受け部１７を採用したところに特徴を有し、他の構成に関しては、本出願人によって既に出願された構造（特願２００１−０４７１４８号参照）と実質的に同一となる構造が採用されている。従って、可動弦受け部１７を除く構成については、説明を省略若しくは簡略にする。
【００１１】
前記可動弦受け部１７は、ベース１３上にねじ２７等で固定されて弦１１の他端側１１Ｂをベース１３内に導く右側の単一の補助部材としての補助駒２９と、弦１１の延出方向に沿って補助駒２９に相対移動可能に取り付けられた単一の駒部材としてのアジャスト駒３０とにより構成されている。
【００１２】
前記補助駒２９は、図４及び図５に示されるように、右端側に向かって次第に下方に傾斜する上面３２と、この上面３２の下方に位置してベース１３上に接触する略水平面状の設置面３３と、上面３２及び設置面３３の左右両端側に位置する略鉛直面状の内端面３５及び外端面３６と、内端面３５から外端面３６に向かって次第に外側に拡開する一対の側端面３７，３７とをからなる略ブロック状に設けられている。この補助駒２９には、上面３２側の前後方向四箇所に、各弦１１をそれぞれ受容する溝状の四本の通路３８が左右方向に沿って設けられている一方、設置面３３側にアジャスト駒３０の一部を受容する切欠部３９が設けられている。通路３８は、内端面３５側と設置面３３の右寄り部分とにそれぞれ形成された開放部４２，４３の間に湾曲しながら連なるとともに、略全領域で上部が開放するようになっている。切欠部３９は、内端面３５の下部略中央から補助駒２９の内部途中まで、弦１１の延出方向（左右方向）に沿って延びており、設置面３３側と内端面３５側とが開放する形状となっている。
【００１３】
前記アジャスト駒３０は、図４及び図６に示されるように、略ブロック状の本体４５と、この本体４５の右端側から略水平状に外向きに延びる片状の突出部４６とにより構成され、ベース１３の上面に載置されている。
【００１４】
前記本体４５は、補助駒２９の上面３２に連続して傾斜する上面４８と、この上面４８の左端側から下方に向かって次第に左側に傾斜する内端面４９と、上面４８の右端側に連なる略鉛直面状の外端面５０と、内端面４９から外端面５０に向かって次第に外側に拡開する一対の側端面５１，５１とを含んで構成されている。上面４８の前後方向四箇所には、左右方向に延びて弦１１を受容する断面略Ｕ字状の溝５２が左右方向に沿って形成されている。これら各溝５２は、内端面４９側と外端面５０側に形成された各開放部５４，５５の間で、上面４８の傾斜に沿って延設されており、右端側に位置する開放部５５が補助駒２９の左端側に位置する開放部４２に相対するようになっている。
【００１５】
前記突出部４６は、前記切欠部３９の延出長さ、幅及び深さに対し、略同一若しくは僅かに小さい延出長さ、幅及び厚みを備えており、切欠部３９に相対移動可能となる状態で受容されている。すなわち、この突出部４６は、切欠部３９に対して弦１１の延出方向となる左右方向の移動のみを許容するように受容されており、切欠部３９に対して突出部４６が弦１１の延出方向に沿って移動することにより、アジャスト駒３０が補助駒２９に対して左右方向に離間接近することになる。ここにおいて、切欠部３９及び突出部４６により、アジャスト駒３０と補助駒２９の相対移動をガイドする単一のガイド手段が構成されている。
【００１６】
以上の可動弦受け部１７には、鍵部材１９と弦固定部２１との間に位置する各弦１１が受容される。すなわち、各弦１１の他端側１１Ｂは、補助駒２９の各通路３８とアジャスト駒３０の各溝５２に受容され、補助駒２９の下端側に形成された開放部４３から弦固定部２１に達するようになっている。
【００１７】
このように構成された大正琴１０は、固定弦受け部１６とアジャスト駒３０との間に位置する弦部分が前記有効振動発音部２２となり、弦１１の延出方向に沿ってアジャスト駒３０を指で移動させることにより、有効振動発音部２２の長さが変わり、これによって、大正琴１０の音程を調整できることになる。
【００１８】
従って、このような実施例によれば、アジャスト駒３０を指で左右方向に移動することで、大正琴１０の音程を簡単に調整できるという効果を得る。
【００１９】
なお、前記実施例では、可動弦受け部１７を補助駒２９とアジャスト駒３０とで構成したが、本発明はこれに限らず、可動弦受け部１７を一体成形品により構成し、ベース１３との間で、弦１１の延出方向に相対移動可能となる構造、例えば、レール及びこれに係合する係合部材等の構造を採用してもよい。
【００２０】
また、弦１１の本数については、前記実施例の本数に限定されるものではなく、前記実施例に対して弦１１の本数を増減した大正琴に本発明を適用することもできる。
【００２１】
更に、本発明は、大正琴に限らず、弦を受ける駒部材を備えた他の弦楽器等にも適用することができる。
【００２２】
【発明の効果】
以上説明したように、本発明によれば、弦を受ける駒部材を弦の延出方向に沿って移動可能に設けたから、弦の有効振動発音部の長さを可変にして音程の微調整を簡単に行うことができる。
【００２３】
また、ベース上に固定される補助部材を更に備え、当該補助部材に前記駒部材を弦の延出方向に相対移動可能に取り付けたから、駒部材の移動を許容する構造をベースに直接設ける必要がなく、ベースの複雑な加工を不要にすることができる。
【００２４】
更に、前記補助部材に前記弦を受容する通路を形成したから、弦の延出方向における直線性が確実になる。
【００２５】
また、前記駒部材及び補助部材の相対移動をガイドするガイド手段を備えたから、弦の延出方向を除く方向の駒部材の移動が規制され、弦の延出方向に沿って駒部材を確実に移動させることができる。
【図面の簡単な説明】
【図１】  本実施例に係る大正琴の概略斜視図。
【図２】  大正琴の概略拡大平面図。
【図３】  図２の概略拡大正面図。
【図４】  図１の要部分解斜視図。
【図５】  （Ａ）は、補助駒の概略平面図であり、（Ｂ）は、（Ａ）のＡ−Ａ線に沿う概略断面図であり、（Ｃ）は、（Ａ）の概略左側面図である。
【図６】  （Ａ）は、アジャスト駒の概略平面図であり、（Ｂ）は、（Ａ）のＢ−Ｂ線に沿う概略断面図であり、（Ｃ）は、（Ａ）の概略左側面図である。
【符号の説明】
１０・・・大正琴（弦楽器）、１１・・・弦、１３・・・ベース、２９・・・補助駒（補助部材）、３０・・・アジャスト駒（駒部材）、３８・・・通路、３９・・・切欠部（ガイド手段）、４６・・・突出部（ガイド手段）
【図１】
0003800123.tif 000002
【図２】
0003800123.tif 000003
【図３】
0003800123.tif 000004
【図４】
0003800123.tif 000005
【図５】
0003800123.tif 000006
【図６】
0003800123.tif 000007